(57)【要約】【課題】取得画像における色再現性の向上を図る。【解決手段】発光する光の色成分を可変することが可能な発光部３８と、被写体を照射する光源光若しくは被写体からの反射光に含まれる色成分を取得する測定部５１と、測定部により算出された色成分に基づいて、発光すべき光の色成分を決定する入力画像処理部５２と、撮影指示に応じて決定手段により決定された色成分の光を発光部に発光させる発光駆動部３９とを具備する。【選択図】図１
2006126798.tif 000002
【特許請求の範囲】
【請求項１】
発光する光の色成分を可変することが可能な発光部と、
被写体を照射する光源光若しくは被写体からの反射光に含まれる色成分を取得する取得手段と、
前記取得手段により取得された色成分に基づいて、発光すべき光の色成分を決定する決定手段と、
撮影指示に応じて前記決定手段により決定された色成分の光を前記発光部に発光させる発光制御手段とを具備したことを特徴とする電子カメラ。
【請求項２】
前記発光部は、各々が異なる色成分の発光を行う複数の発光部材から構成され、同時に発光させる発光部材の組合せを変化させることにより発光する色の色成分を可変し、
前記発光制御手段は、前記決定手段により決定された色成分となるように１又は複数の発光部材を選択して発光させることを特徴とする請求項１に記載の電子カメラ。
【請求項３】
前記色成分は、ＲＧＢ成分、色度、色温度又は分光分布特性によって表される色成分であることを特徴とする請求項１又は２に記載の電子カメラ。
【請求項４】
前記取得手段により取得された色成分に基づいて、当該色成分のホワイトバランスを補正するような色の補正量を算出する算出手段を具備し、
前記決定手段は、前記算出手段により算出された色の補正量に対応する色成分を前記発光すべき色成分として決定することを特徴とする請求項１から請求項３のいずれか一項に記載の電子カメラ。
【請求項５】
前記取得手段により取得された色成分に基づいて、この色成分のホワイトバランスを補正するような色の補正量を算出する算出手段と、
前記算出手段により算出された色の補正量で入力される色信号の成分比又は利得を制御してホワイトバランスを調整する調整手段とを具備し、
前記決定手段は、前記取得手段により取得された色成分に対応する色成分を発光すべき色成分として決定することを特徴とする請求項１から請求項３のいずれか一項に記載の電子カメラ。
【請求項６】
撮影指示に応じて被写体を撮影する撮像部と、
前記発光部の発光動作及び前記撮像部の撮影動作を制御する撮影制御手段とを具備し、
前記撮影制御手段は、一回の撮影指示に応じて前記発光部における発光部材の組合せを順次切り替えて発光させるように制御すると共に、前記発光部より発光する光の色成分の異なる複数枚の画像が連続撮影するように前記撮像部を制御することを特徴とする請求項２に記載の電子カメラ。
【請求項７】
前記発光部の発光部材は、発光ダイオードであることを特徴とする請求項１から請求項６のいずれか一項に記載の電子カメラ。
【請求項８】
複数の発光ダイオードが有する色成分を加法混色することで白色の閃光を発光することを特徴とする請求項７に記載の電子カメラ。
【発明の詳細な説明】
【技術分野】
【０００１】
本発明は、電子カメラに係り、特に、閃光の色温度特性及び分光分布特性の補正を行う電子カメラに関する。
【背景技術】
【０００２】
一般的に、人物等を被写体としてストロボ撮影する際に、順光の照明（以下、フロントライト）を利用した場合においては、撮影された画像が平板な画像となり易いため、前方斜光の照明（以下、レンブラントライト）若しくは側光の照明（以下、サイドライト）又はこれらの組合せた照明等を利用することにより、顔の彫り、陰影及び立体感を強調すると共に、微細な表情描写の実現を図っている。
【０００３】
上述したレンブラントライト又はサイドライトを実現するために、照明装置及び外付けの閃光発光装置等が利用されている。これら照明装置及び外付けの閃光発光装置等には、閃光の光の強さ（発光光量の大きさ）を示すガイドナンバー（以下、ＧＮ：Guide Number）が大きい発光部材が使用されている。また、天井等に反射させることで間接的に照明させる機構や、照射角度の範囲を変更させ、発光された閃光の到達距離を延長させる機能等が具備されている。
【０００４】
しかし、閃光発光装置を用いてストロボ撮影を行った場合、一度ストロボ撮影を行った後は、閃光発光装置の発光用コンデンサが完全に充電するまで待機させてから、次のストロボ撮影を行っていたため、充電時間が長くなり、撮影間隔が増大されて、撮影機会が失われてしまうという問題が生じていた。
【０００５】
また、閃光発光装置による発光は、コンデンサが完全に充電されていなくても発光可能電圧に達していれば同調発光することが知られており、これを利用して、充電動作を一時中断して露光動作を優先的に開始する機能を有するカメラが開発されている。しかし、この種のカメラにおいては、フラッシュマチック手段により、コンデンサがフル充電されたときのＧＮを想定して撮影が行われるため、発光可能電圧でストロボ撮影が行われた場合では、ＧＮに誤差が生じることに伴い、ＧＮから被写体までの距離により決定される絞り開口径の設定にも誤差が生じてしまい、その結果、露出がアンダーになるという問題が生じていた。
【０００６】
そこで、撮影間隔の短縮かつ適正露出の実現を図ることが可能な閃光発光装置として、ストロボ撮影による連写の際に、強制的にストロボを発光させることが可能な電圧に達した時に充電を停止することで、充電時間を短縮させると共に、フラッシュマチック手段による制御が補正されることにより、連写の撮影間隔を短縮するストロボ装置が開発されている（例えば、特許文献１参照）。
【特許文献１】特許第２６３６２９６号公報
【発明の開示】
【発明が解決しようとする課題】
【０００７】
しかしながら、上述したストロボ装置の場合、ストロボ装置に用いられるキセノン管の有する約５５００℃の色温度が基準値として固定されており、この基準値に基づいて検出した色成分のバランス及び利得が調整されるため、太陽光、蛍光灯又は電球等、異なる色温度の光源から照射されている被写体を撮影する場合や、複数種の光源が混在している場合には、色温度の検出及びＷＢ（White Balance）調整が適切に実行されず、色再現性が低下するという問題が生じている。
【０００８】
また、小型の電子カメラが搭載された携帯電話には、白色ＬＥＤを用いた閃光発光装置が搭載されているが、例えば赤色（Ｒ）、緑色（Ｇ）、青色（Ｂ）のＬＥＤを用いた加法混色によって構成された白色ＬＥＤの場合では、各色のＬＥＤが有する特性にバラツキがあるため、色調に微妙なバラツキが生じるという問題が生じている。
【０００９】
さらに、青色（Ｂ）ＬＥＤと、黄色（Ｙ）の蛍光体材料とを組合せて構成された白色ＬＥＤや、紫外光ＬＥＤと、ＲＧＢの蛍光体材料とを組合せて構成された白色ＬＥＤの場合においても、見かけ上は白色の光であるが、特定の波長帯における発光強度が小さく、撮影画像の色再現性が低下するという問題が生じている。
【００１０】
本発明は前記した点に鑑みてなされたものであり、色再現性の向上を図ることが可能な電子カメラを提供することを目的とする。
【課題を解決するための手段】
【００１１】
以上の課題を解決するために、請求項１に記載の発明に係る電子カメラは、
発光する光の色成分を可変することが可能な発光部と、
被写体を照射する光源光若しくは被写体からの反射光に含まれる色成分を取得する取得手段と、
前記取得手段により算出された色成分に基づいて、発光すべき光の色成分を決定する決定手段と、
撮影指示に応じて前記決定手段により決定された色成分の光を前記発光部に発光させる発光制御手段とを具備したことを特徴とする。
【００１２】
請求項２に記載の発明に係る電子カメラは、前記発光部が、各々が異なる色成分の発光を行う複数の発光部材から構成され、同時に発光させる発光部材の組合せを変化させることにより発光する色の色成分を可変し、
前記発光制御手段が、前記決定手段により決定された色成分となるように１又は複数の発光部材を選択して発光させることを特徴とする。
【００１３】
請求項３に記載の発明に係る電子カメラは、前記色成分が、ＲＧＢ成分、色度、色温度又は分光分布特性によって表される色成分であることを特徴とする。
【００１４】
請求項４に記載の発明に係る電子カメラは、前記取得手段により取得された色成分に基づいて、当該色成分のホワイトバランスを補正するような色の補正量を算出する算出手段を具備し、
前記決定手段が、前記算出手段により算出された色の補正量に対応する色成分を前記発光すべき色成分として決定することを特徴とする。
【００１５】
請求項５に記載の発明に係る電子カメラは、前記取得手段により取得された色成分に基づいて、当該色成分のホワイトバランスを補正するような色の補正量を算出する算出手段と、
前記算出手段により算出された色の補正量で入力される色信号の成分比又は利得を制御してホワイトバランスを調整する調整手段とを具備し、
前記決定手段は、前記取得手段により取得された色成分に対応する色成分を発光すべき色成分として決定することを特徴とする。
【００１６】
請求項６に記載の発明に係る電子カメラは、撮影指示に応じて被写体を撮影する撮像部と、
前記発光部の発光動作及び前記撮像部の撮影動作を制御する撮影制御手段とを具備し、
前記撮影制御手段が、一回の撮影指示に応じて前記発光部における発光部材の組合せを順次切り替えて発光させるように制御すると共に、前記発光部より発光する光の色成分の異なる複数枚の画像が連続撮影するように前記撮像部を制御することを特徴とする。
【００１７】
請求項７に記載の発明に係る電子カメラは、前記発光部の発光部材が、発光ダイオードであることを特徴とする。
【００１８】
請求項８に記載の発明に係る電子カメラは、複数の発光ダイオードが有する色成分を加法混色することで白色の閃光を発光することを特徴とする。
【発明の効果】
【００１９】
本発明によれば、発光する光の色成分を可変することが可能な発光部と、被写体を照射する光源光若しくは被写体からの反射光に含まれる色成分を取得する取得手段と、測定部により取得された色成分に基づいて、発光すべき光の色成分を決定する決定手段と、撮影指示に応じて決定手段により決定された色成分の光を発光部に発光させる発光制御手段とを具備するので、撮影状況に応じて、発光される閃光の発光色、色温度若しくは分光分布特性又はこれらの組合せを補正することが可能となり、これによって、所望の色温度又は分光分布特性を有する撮影画像や、所望のカラー照明による演出効果が表現された撮影画像を取得することができる。
【００２０】
また、発光部が、各々が異なる色成分の発光を行う複数の発光部材から構成され、同時に発光させる発光部材の組合せを変化させることにより発光する色の色成分を可変し、発光制御手段が、決定手段により決定された色成分となるように１又は複数の発光部材を選択して発光させるので、発光色を補正する連続撮影を行うことによって、所望の色温度又は分光分布特性を有する撮影画像や、所望のカラー照明による演出効果が表現された撮影画像の取得確率の向上を図ることが可能となり、これによって、再度の撮影を防止し、撮影効率の向上及び撮影者にかかる負担の軽減を図るができる。
【００２１】
さらに、ＲＧＢ成分、色度、色温度又は分光分布特性によって表される色成分を可変させるので、発光ダイオードの有する分光分布特性の偏りを緩和することが可能となり、これによって、撮影画像における色再現性の向上を図ることができる。
【発明を実施するための最良の形態】
【００２２】
以下、本発明を実施するための最良の形態について図面を用いて説明する。但し、以下に述べる実施形態には、本発明を実施するために技術的に好ましい種々の限定が付されているが、発明の範囲を以下の実施形態及び図示例に限定するものではない。
図１から図８を参照しながら、本発明に係る電子カメラについて説明する。
まず始めに、本実施形態における電子カメラ１の構成について説明する。
図１に示すように、本実施形態における電子カメラ１は、略矩形状に成型された筐体２を具備しており、この筐体２の上面には、図１から図４に示すように、電源釦３と、モード切替部４と、シャッタ釦５とが配設されている。
【００２３】
電源釦３は、押動自在な釦スイッチにより構成され、押動操作によって電源をオン又はオフに切り替えるようになっている。
【００２４】
モード切替部４は、一定方向に移動自在なスライドスイッチにより構成され、スライド操作によって撮影モードと、再生モードと、設定モードとに切り替えるようになっている。また、撮影モードには、通常撮影モードと、ブラケット撮影モードとが存在し、設定モードは、通常設定モードと、ブラケット設定モードとが存在する。
【００２５】
シャッタ釦５は、押動自在な釦スイッチにより構成され、撮影モード時には、押動操作によってレリーズを指示するようになっている。また、再生モード若しくは設定モード時には、押動操作によって各種案内画面若しくは選択画面におけるコマンドの実行を指示するようになっている。このシャッタ釦５によって入力された電気信号は、図５に示すように、筐体２の内部に設けられた入力回路６に出力されるようになっている。
【００２６】
一方、図３及び図５に示すように、筐体２の下面には、開閉自在な板状の蓋部７と、通信部８とが具備されている。
蓋部７の内側であって、筐体２の内部には、２つの格納部９，１０が設けられている。これら格納部９，１０は、内部中空となっており、電源である電池１１と、メモリーカード等の記録媒体１２とが、それぞれ専用の格納部９，１０に着脱自在に装着されるようになっている。
【００２７】
このうち、電池格納部９は、図５に示すように、筐体２の内部に設けられた電源制御部１３と接続され、格納された電池１１から電流が出力されるようになっている。
また、記録媒体格納部１０には、記録媒体Ｉ／Ｆ１４が設けられ、この記録媒体Ｉ／Ｆ１４を介して、記録媒体１２との間で画像データ等を送受信するようになっている。
【００２８】
通信部８には、入出力Ｉ／Ｆ１５と、ＵＳＢや、ＬＡＮ等の通信Ｉ／Ｆ１６とが具備されており、入出力Ｉ／Ｆ１５を介して、通信Ｉ／Ｆ１６に接続された外部機器との間で画像データ等を送受信するようになっている。
【００２９】
また、筐体２の背面には、図３に示すように、第１表示部１７と、光学ファインダ１８と、案内表示釦１９と、操作釦２０と、画面表示釦２１とが配設されている。
第１表示部１７は、ＬＣＤ（Liquid Crystal Display）等により構成されており、撮影モード時には、電子ファインダとして、被写体や、撮影条件等の撮影情報又は設定情報の各種情報が表示され、再生モード時には、各種案内画面若しくは指示画面又は選択した画像が表示されるようになっている。また、第１表示部１７には、指又は入力ペン等によるタッチ入力により、各種入力指示を行うタッチパネルとしての機能も具備されている。
【００３０】
光学ファインダ１８は、図５に示すように、第２表示部２２と、ファインダミラー２３と、ファインダレンズ２４とから構成されており、第２表示部２２に撮像する画像の構図や、焦点距離等の各種情報が表示され、これら画像等がファインダミラー２３によって反転されて、ファインダレンズ２４を介して視認されるようになっている。
【００３１】
案内表示釦１９は、押動自在な釦スイッチにより構成され、押動操作によって各種案内画面を選択することができるようになっている。
【００３２】
操作釦２０は、十字方向に押動自在な十字キーにより構成され、押動操作によって各種案内画面若しくは指示画面におけるコマンドの選択をすることが可能なようになっている。
【００３３】
画面表示釦２１は、押動自在な釦スイッチにより構成され、押動操作によって第１表示部に各種情報を表示するか否か、また、表示される情報量をどの程度にするか、さらには、スルー画像自体を表示するか否かの選択を行うようになっている。
【００３４】
さらに、図１及び図４に示すように、筐体２の前面には、撮像部２５と、閃光発光装置２６とが配設されている。
撮像部２５は、図６に示すように、レンズ部２７と、鏡面部２８と、シャッタ２９と、撮像素子３０とから構成されており、筐体２の前面側から入射する光束の軸（以下、光束軸）上に沿って、レンズ部２７、鏡面部２８、シャッタ２９、撮像素子３０の順に配設されている。
【００３５】
レンズ部２７は、光学系からなる撮像レンズ３１と、単レンズからなる測定レンズ３２とから構成されている。このうち、撮像レンズ３１は、図６に示すように、凸レンズと凹レンズとが貼り合わされた２つのダブレットを含む６枚の球面レンズにより構成されている。また、撮像レンズ３１における所定のレンズには、光束軸方向に沿ったレンズの位置を調整するためのレンズ駆動部３３が具備されており、焦点距離を調整することが可能なようになっている。さらに、このような撮像レンズ３１には、所定のレンズ間に、絞り機構３４が配設されており、花弁状に形成された開閉自在な絞り環（図示せず）が、連動環（図示せず）の動作に付随して開閉されることにより、筐体２の内部に入射する光束量が調節されるようになっている。
【００３６】
一方、測定レンズ３２は、筐体２の内部であって、測定レンズ３２の背面側に設けられた検出部３５に、光束を入射させるようになっている。この検出部３５では、入射した光束に基づいて光束量及び光束強度を検出するようになっている。
【００３７】
鏡面部２８は、表面に鏡面加工が施されたメインミラー３６と、サブミラー３７とから構成されている。
このうち、メインミラー３６は、光束軸に対して所定の角度で交差するように設けられ、シャッタ釦５の押動操作と同時に、このメインミラー３６における背面側の一端を中心として、上方に回動するようになっている。また、メインミラー３６の一部には、半透過部分が設けられており、撮像レンズ３１を介してメインミラー３６に入射された光束の大部分は、メインミラー３６で反射されて第２表示部２２に出射されるが、この半透過部分に入射された光束は、入射面とは反対面側に透過されて、サブミラー３７に出射されるようになっている。
【００３８】
サブミラー３７には、メインミラー３６を透過した光束が入射され、上述した検出部３５に入射されるようになっている。
【００３９】
シャッタ２９は、電気信号に基づいて開閉動作や、走行速度等が制御される電子シャッタであり、レンズ部２７を介して入射される光束量が不足している場合には、駆動機構（図示せず）が走行速度を制御することにより、シャッタ２９の開閉時間、すなわち、撮像素子３０に光束が入射する時間を調節するようになっている。
【００４０】
なお、シャッタ２９の開閉方式は、上下に開閉する縦走りシャッタや、左右に開閉する横走りシャッタの何れも適用可能である。また、本実施形態におけるシャッタは、電子シャッタであるが、これに限定されず、機械的に制御されるメカニカルシャッタ等であってもよい。
【００４１】
撮像素子３０は、ＣＣＤ（Charge Coupled Device）や、ＣＭＯＳ（Complementary Metal Oxide Semiconductor）等のイメージセンサから構成され、レンズ部２７の撮像レンズ３１を介して入射された被写体の像の光束を、電気信号に変換して、出力するようになっている。
【００４２】
また、閃光発光装置２６は、図５に示すように、発光部３８と、発光駆動部３９とから構成されている。
発光部３８は、複数の発光部材４０から構成されており、これら発光部材４０には、例えばキセノン管のような閃光放電管が用いられ、長手方向に沿って配列されている。
【００４３】
なお、発光部３８は、複数の発光部材４０が配列されている構成に限定されず、１つの発光部材４０を複数の区画に区分けしたような構成であってもよい。
【００４４】
発光駆動部３９は、図７に示すように、昇圧充電回路４１と、複数のトリガーコイル４２と、複数のメインコンデンサ４３と、複数のトリガースイッチ４４と、複数の発光停止スイッチング素子４５とから構成されている。
このうち、昇圧充電回路４１は、３．０〜４．２Ｖの電池電圧を、３３０Ｖ程度に昇圧させて、メインコンデンサ４３に出力させるようになっている。
トリガーコイル４２は、トリガー用コンデンサ４６と、トリガー用抵抗４７と、コイル４８を具備し、メインコンデンサ４３と同時にトリガー用コンデンサ４６に充電された電荷が、コイル４８の一次側を通して放電し、コイル４８の二次側において、３３００Ｖ程度のトリガー電圧を発生させるようになっている。
メインコンデンサ４３は、昇圧充電回路４１から出力された電圧が充電されるようになっている。
トリガースイッチ４４は、高耐圧かつ高速な特性を有するサイリスタ、パワーＦＥＴ（Field Effect Transistor）又はＩＧＢＴ（Insulated Gate Bipolar Transistor）等からなる。これら発光停止スイッチング素子４５は、トリガー信号に応じて作動するようになっている。
発光停止スイッチング素子４５は、高耐圧のスイッチング素子からなり、トリガーコイル４２に対して発光停止信号を出力するようになっている。
【００４５】
このように構成された発光駆動部３９は、各発光部材４０に対して、一のトリガーコイル４２、メインコンデンサ４３、トリガースイッチ４４及び発光停止スイッチング素子４５がそれぞれ接続されている。したがって、発光部材４０、トリガーコイル４２、メインコンデンサ４３、トリガースイッチ４４及び発光停止スイッチング素子４５によって、１つの組が構成されるようになっている。
【００４６】
一方、筐体２の内部には、撮影制御部４９が設けられており、この撮影制御部４９は、動作制御部５０と、測定部５１と、入力画像処理部５２と、発光制御部５３とから構成されている。
動作制御部５０は、出力する電気信号に基づいて撮像レンズ３１における所定のレンズを制御させることにより、焦点距離を制御するようになっている。また、絞り機構３４における連動環や、シャッタ２９における駆動機構を制御することにより、レンズの球面収差や、シャッタ２９の走行速度がそれぞれ制御されるようになっている。
【００４７】
測定部５１は、検出部３５によって検出された光束量及び光束強度に基づいて、測光値、測距値及び色温度を算出すると共に、撮像画面内の無彩色部分が抽出されるようになっている。
【００４８】
入力画像処理部５２は、図８に示すように、ＣＤＳ（Correlated Double Sampling）／ＡＧＣ（Automatic Gain Control）回路５４と、Ａ／Ｄ変換回路５５と、色分離回路５６と、ＷＢ制御回路５７と、画像信号処理回路５８と、色情報メモリ５９とから構成されている。
【００４９】
このうち、ＣＤＳ／ＡＧＣ回路５４は、撮像素子３０から出力された電気信号におけるノイズを除去すると共に、露光時間の不足により撮像素子３０から出力された電圧が小さい場合に、適切な利得を設定し、増幅した信号を後続のＡ／Ｄ変換回路５５に出力させるようになっている。
【００５０】
Ａ／Ｄ変換回路５５は、入力されたアナログの画像データを、デジタルの画像データに変換し、色分離回路５６に出力させるようになっている。
【００５１】
色分離回路５６は、入力された画像データにおける色信号の差を利用して、Ｒ、Ｇ、Ｂの各色の色成分に分離させ、後続の画像信号処理回路５８に出力させるようになっている。
出力された色信号は、ＷＢ制御回路５７により、Ｒ、Ｇ、Ｂの各色成分のバランスが同等になるように調整されるようになっている。または、測定部５１によって抽出された撮像画面内の無彩色部分を積分した積分値と、色成分と輝度成分との差である（Ｒ−Ｙ）及び（Ｂ−Ｙ）の平均値とが、それぞれゼロとなるように調整されるようになっている。あるいは、測定部５１により算出された色温度が高温である場合には、Ｒ成分の利得を増大させてＢ成分の利得を減少させる、また色温度が低温である場合には、Ｂ成分の利得を増大させてＲ成分の利得を減少させるように調整されるようになっている。
【００５２】
画像信号処理回路５８は、上記した利得調整後の色信号が入力され、この色信号に対して各種処理が実行され、後述する制御部６０に出力させるようになっている。
【００５３】
発光制御部５３は、測定部５１よって算出された色信号の成分比及び色温度情報に基づいて、発光部３８の発光光量、発光時間、発光回数、発光間隔又は発光位置等を制御して、発光色の色調、色温度又は分光分布特性を加減調整するようになっている。
なお、発光制御部５３は、事前発光又は本発光における調光用測光値に基づいて、発光光量及び発光時間を制御するようになっていてもよい。
【００５４】
上記した撮影制御部４９は、ＣＰＵ（Central Processing Unit）からなる制御部６０と接続されており、例えば撮影者の設定した撮影条件に応じて測光値等から必要な露出量を算出する等、入力データが演算及び加工されるようになっている。
【００５５】
また、撮影者の操作に応じて設定されたＷＢ設定情報に基づいて入力画像処理部５２におけるＷＢ制御回路５７を制御すると共に、入力画像処理部５２における色情報メモリ５９に記録されている色度座標及び色温度を、撮影画像と併せて第１表示部１７及び第２表示部２２に表示させるようになっている。
このような制御部６０は、筐体２の内部に配設された記憶部６１と、画像処理部６２と、圧縮処理部６３と、表示制御部６４，６５にそれぞれ接続されている。
【００５６】
記憶部６１は、情報を一時的に記憶する揮発性のＲＡＭ（Random Access Memory）と、書き換え可能な不揮発性のＲＯＭ（Read Only Memory）とから構成されている。
【００５７】
ＲＯＭには、各種システムプログラム、アプリケーションプログラム及びデータが記憶されるようになっている。一方、ＲＡＭには、プログラムを展開するためのプログラム領域や、操作釦２０から入力されるデータ又は制御部６０による各種処理結果等を保存するためのデータ領域等が形成されるようになっている。
【００５８】
画像処理部６２は、撮像素子３０から出力された画像データの電気信号に対して、画素補完処理又はγ補正処理等の各種画像処理が実行され、デジタルの画像データとして出力されるようになっている。
【００５９】
圧縮処理部６３は、例えばＪＰＥＧ（Joint Photographic Expert Group）、ＭＰＥＧ４（Moving Picture Expert Group ４）、ＴＩＦＦ（Tagged Image File Format）等の圧縮方式により、画像データを圧縮符号化又は伸長複号化するようになっている。
【００６０】
表示制御部６４，６５は、第１表示制御部６４と、第２表示制御部６５とに分けられ、各表示制御部６４，６５は、制御部６０からの表示信号に基づき、撮影制御部４９から出力された画像データがビデオ信号に変換させ、第１表示部１７と、第２表示部２２とにそれぞれ出力されるようになっている。このうち、第１表示部１７には、表示メモリ６６が具備され、デジタルの画像データが一時的に記憶されるようになっている。
【００６１】
次に、本実施形態における電子カメラ１の作用について説明する。
まず始めに、準備として、モード切替部４をスライド操作させることにより、「設定モード」に切り替えた後、例えば発光条件を「強制発光」、「発光禁止」又は「オート発光」の何れかを選択する等、各種撮影条件を設定させる。
【００６２】
また、発光駆動部３９におけるメインコンデンサ４３の電圧が閃光を発光するために不十分であると判断された場合には、閃光発光装置２６における発光駆動部３９の昇圧充電回路４１により、約３．０〜４．２Ｖの電池電圧を約３３０Ｖに昇圧させ、昇圧電圧がメインコンデンサ４３に充電される。
【００６３】
次に、モード切替部４をスライド操作させることにより、「撮影モード」に切り替えた後、第１表示部１７及び第２表示部２２に表示されたスルー画像に基づいて筐体２を動かすことにより、視点を調整させる。そして、所望の画像が光学ファインダ１８又は第１表示部１７に表示された瞬間に、撮影者によってシャッタ釦５が押動操作されることより、撮像部２５により撮影された画像データが、入力画像処理部５２や、制御部６０等を介して第１表示部１７に出力されると共に、内蔵された記憶部６１又は装着された着脱自在な記録媒体１２に記憶され、一連の撮影動作が完了する。
【００６４】
このとき、ＷＢ設定情報又は色温度情報に基づいて閃光の発光色が自動設定されるストロボ撮影について、図９から図１２を参照しながら、その動作方法の詳細について説明する。
まず始めに、図９に示すように、露出条件等の撮影条件が設定され（ステップＳ１）、測光処理が行われる（ステップＳ２）。そして、被写体反射光及び光源光の色温度情報に基づいて、ＷＢ制御回路５７により、ＷＢ制御処理が行われる（ステップＳ３）。さらに、ズーム処理及びＡＦ（Auto Focus）処理等が順次実行された後（ステップＳ４）、撮影条件等の撮影情報や、設定情報と共に、被写体のスルー画像が第１表示部１７に表示される（ステップＳ５）。
【００６５】
この際、第１表示部１７には、図１０に示すように、ＷＢ設定値として、光源の色度座標値、ケルビン単位（Ｋ）若しくはミレッド単位（ｍｒｄ）に換算された相関色温度又はカラー変換フィルタのＬＢ指数等の代表値が表示される。または、画面表示釦２１を押動操作することにより、図１１に示すように、光源の分光光度特性を示す棒グラフ若しくは折れ線グラフや、ｘ−ｙ色度図等の色度図が、スルー画像に重ねて表示される。あるいは、図１２に示すように、色度図における黒体輻射軌跡上に、色度座標又は色温度の目盛若しくは指針が表示される。
なお、光源光又は被写体からの反射光などに含まれる光のスペクトラム分布は様々であり、これらの光に含まれる色成分を表す方法として、周波数毎の光量を示す分光分布特性、ＲＧＢの３刺激値の成分量を示すＲＧＢ成分、明度が正規化された色成分である色度、黒体輻射を基準とした色成分を示す色温度等が挙げられる。
【００６６】
これら表示情報を確認した後、ストロボ角度ブラケティングの設定をＯＮにすると（ステップＳ６）、設定されたＷＢ及び光源の色温度情報に基づいて、発光部３８における発光位置、照射角度、色調及び発光させる発光部材４０の発光個数等を選択設定する（ステップＳ７）。
【００６７】
その後、閃光発光装置２６における発光駆動部３９のメインコンデンサ４３の充電状態が確認される（ステップＳ８）、メインコンデンサ４３の充電状態が不完全な場合には（ステップＳ８；ＮＯ）、上記した方法により、メインコンデンサ４３の充電処理が行われる（ステップＳ９）。
【００６８】
メインコンデンサ４３の充電状態が完全であることが確認された後（ステップＳ８；ＹＥＳ）、シャッタ釦５を押動する（ステップＳ１０）。この際、シャッタ釦５を押動した後、自動調光機能により、閃光発光装置２６における発光部３８の一部でプリ発光が行われ（ステップＳ１１）、被写体からの反射光を受光することにより、調光用の測光処理が実行される（ステップＳ１２）。
【００６９】
さらに、設定された撮影条件及びプリ発光時の測光値に基づいて発光光量若しくは露出条件が調整される、またはＧＮ若しくは絞り値が下記式（１）、（２）をそれぞれ満たすように調整される（ステップＳ１３）。
【００７０】
【数１】
2006126798.tif 000003
……（１）
ここで、Ｆは絞り値、Ｌは撮影距離、ＳはＩＳＯ感度である。
【００７１】
【数２】
2006126798.tif 000004
……（２）
ここで、Ｆは絞り値、Ｌは撮影距離、ＳはＩＳＯ感度である。
【００７２】
そして、撮影条件及び測光値に基づいた発光条件及び設定光量により、選択された発光部材４０が発光されて、撮影が行われる（ステップＳ１４）。最終的には、撮影画像が圧縮処理部６３において圧縮符号化され、露出条件や、発光位置及び照射角度と共に、電子カメラにおける記憶部６１又は装着された記録媒体１２に記録されて（ステップＳ１５）、一連のストロボ撮影が完了する。
【００７３】
また、発光部３８における発光色又は分光特性を補正する連続撮影（以下、ストロボ発光色ブラケティング撮影）を行う場合には、撮影動作の前に各種条件を設定する必要がある。そこで、図１３から図１８を参照しながら、ストロボ発光色ブラケティング撮影時における撮影条件（以下、ブラケット条件）の設定方法及び動作方法の詳細について説明する。
まず始めに、図１３に示すように、モード選択画面において、モード切替部４をスライド操作させることにより（ステップＳ２１）、「設定モード」に切り替えた後（ステップＳ２２）、さらに「ブラケット設定モード」に切り替えて（ステップＳ２３；ＹＥＳ）、補正間隔、補正順序若しくは撮影順序又は撮影枚数を設定する（ステップＳ２４）。
【００７４】
補正間隔は、発光部３８において発光する発光部材４０の位置Ｓや、発光部材４０の照射角度θを、１枚ずつの撮影毎にどの程度の補正幅（ΔＳ又はΔθ）で撮影するかについて設定することができるようになっている。
【００７５】
補正順序若しくは撮影順序は、昇順（＋方向、被写体に対して右から左の方向）、降順（−方向、被写体に対して左から右への方向）、「０＋−」の順（中央→左…→右…の順）又は「０−＋」の順（中央→右…→左…の順）等を選択して設定することができるようになっている。
【００７６】
例えば、「０」を補正が施されていない初期の撮影条件とすると、上記した昇順において、撮影枚数を「３枚」と設定した場合には、（−１補正）→（０：補正なし）→（＋１補正）の順に補正した発光位置や、照射角度の条件下で連続撮影が行われる。
発光位置を補正する連続撮影の場合、下記式（３）で表すように、初期の発光位置が「Ｓ＃」ならば、（Ｓ＃−ΔＳ＃）→（Ｓ＃）→（Ｓ＃＋ΔＳ＃）の順に連続撮影が行われる。
【００７７】
Ｓ＃＝Ｓ＃０−ｋ×ΔＳ＃  ……（３）
ここで、ｋは任意の整数である。
【００７８】
したがって、実際の設定場面において、撮影順序を「昇順」、撮影枚数を「３枚」、初期位置を「中央」、補正間隔を「ΔＳ＃＝１」に設定した場合には、（一つ右）→（中央）→（一つ左）に変更して連続撮影が行われる。
【００７９】
また、上記したブラケット条件のうち、撮影枚数の設定のみを「５枚」に変更した場合には、（−２補正）→（−１補正）→（０：補正なし）→（＋１補正）→（＋２補正）の順、すなわち、（Ｓ＃−２ΔＳ＃）→（Ｓ＃−ΔＳ＃）→（Ｓ＃）→（Ｓ＃＋ΔＳ＃）→（Ｓ＃＋２ΔＳ＃）の順に撮影が行われる。
【００８０】
さらに、このブラケット条件において、撮影順序の設定を「降順」に変更した場合には、（＋２補正）→（＋１補正）→（０：補正なし）→（−１補正）→（−２補正）の順、すなわち、（Ｓ＃＋２ΔＳ＃）→（Ｓ＃＋ΔＳ＃）→（Ｓ＃）→（Ｓ＃−ΔＳ＃）→（Ｓ＃−２ΔＳ＃）の順に撮影が行われる。
この場合、上記した昇順の場合とは異なり、下記式（４）に基づいて連続撮影が行われる。
【００８１】
Ｓ＃＝Ｓ＃０＋ｋ×ΔＳ＃  ……（４）
ここで、ｋは任意の整数である。
【００８２】
さらに、上記したブラケット条件のうち、撮影順序のみを「０＋−」に設定変更した場合には、（０：補正なし）→（＋１補正）→（＋２補正）→（−１補正）→（−２補正）の順、すなわち、最初の１枚を補正なしで撮影が行われた後、上記式（３）に基づいて順次撮影が行われ、その後、上記式（４）に基づいて順次撮影が行われる。
なお、上記した撮影順序に限定されず、その他の撮影順序に設定変更して撮影してもよい。
【００８３】
また、上述したブラケット条件の設定方法では、発光位置を補正する連続撮影について説明したが、照射角度を補正する連続撮影においても同様であり、例えば撮影順序を「昇順」、初期の照射角度を「θ」、撮影枚数を「３枚」に設定した場合には、下記式（５）で表すように、（θ０−Δθ）→（θ０）→（θ０＋Δθ）の順に連続撮影が行われる。
【００８４】
θ＝Δθ０−ｋ×Δθ  ……（５）
ここで、ｋは任意の整数である。
【００８５】
撮影枚数は、任意の枚数を設定することができるようになっているが、上記した補正順序の設定と対応させるために、例えば１，３，５，７，…のように奇数枚、またはｎ＝（２ｋ＋１）、（２ｋ−１）枚の形式で設定されることが好ましい。
ここで、撮影枚数と、閃光発光装置２６の発光回数とは、同一となるようになっている。
【００８６】
なお、これらブラケット条件の設定方法は、予め設定された数値を選択する方法であってもよいし、設定された数値を加減させる方法であってもよいし、任意の数値を入力する方法であってもよい。
【００８７】
また、ブラケット条件は、操作釦２０が押動されることにより設定されるが、別途ブラケット条件を設定するための専用の釦が設けられていてもよい。
【００８８】
ブラケット条件の設定が完了すると、リターン処理により、再度モード選択画面が表示される（ステップＳ２１）。そして、モード切替部４をスライド操作させることにより、「撮影モード」に切り替え（ステップＳ２６）、露出条件等の撮影条件を設定し（ステップＳ２７）、測光処理、ＷＢ処理、ズーム処理及びＡＦ（Auto Focus）処理等が順次実行される（ステップＳ２８）。その後、撮影条件等の撮影情報や、設定情報と共に、被写体のスルー画像が第１表示部１７に表示される（ステップＳ２９）。
【００８９】
表示情報を確認した後、ストロボ発光色ブラケティングの設定をＯＮにすると（ステップＳ３０）、設定ＷＢ情報に基づいて発光部３８における初期値が設定される（ステップ３１）。そして、閃光発光装置２６における発光駆動部３９のメインコンデンサ４３の充電状態が確認される（ステップＳ３２）。この際、メインコンデンサ４３の充電状態が不完全な場合には（ステップＳ３２；ＮＯ）、上記した方法により、メインコンデンサ４３の充電処理が行われる（ステップＳ３３）。
【００９０】
メインコンデンサ４３の充電状態が完全であることが確認された後（ステップＳ３２；ＹＥＳ）、シャッタ釦５を押動する（ステップＳ３４）。すると、自動調光機能により、シャッタ釦５を押動した後、閃光発光装置２６における発光部３８の一部でプリ発光が行われ（ステップＳ３５）、被写体からの反射光を受光することにより、調光用の測光処理が実行されて（ステップＳ３６）、「ブラケット設定モード」にモードにおいて設定されたブラケット条件が発光制御部５３に順次設定される。
【００９１】
ここで、発光位置を補正する連続撮影において、補正間隔を「ΔＳ」、撮影順序を「昇順」、撮影枚数を「２ｋ＋１枚」に設定した場合を例に挙げて説明する。
図１４に示すように、まず始めに、撮影順序が確認され（ステップＳ３７）、昇順であると認識された後（ステップＳ３８）、発光位置、すなわち、発光部３８における発光部材４０の番号Ｓ＃の初期値が設定される（ステップＳ３９）。次に、撮影順序ｍが＋１として認識され（ステップＳ４０）、さらに、撮影枚数ｎが２ｋ＋１、撮影済み枚数ｊが０にそれぞれ設定される（ステップＳ４１）。
【００９２】
なお、撮影順序が下り順であると認識された場合には（ステップＳ４２）、発光部材４０の番号Ｓ＃の初期値が設定された後（ステップＳ４３）、撮影順序ｍが−１として認識される（ステップＳ４４）。
また、この時点における撮影済み枚数ｊは、まだ撮影が行われていないため、撮影順序に関わらずｊ＝０として設定される。
【００９３】
すべてのブラケット条件が設定された後、発光位置又は照射角度の補正処理が行われる（ステップＳ４５）。この発光位置又は照射角度の補正処理では、図１６に示すように、下記式（６）に基づいて発光部材４０の番号Ｓ＃が設定される（ステップＳ４６）。
【００９４】
Ｓ＃＝Ｓ＃＋ｍ×ｊ×ΔＳ＃  ……（６）
【００９５】
その後、発光させる発光部材４０のメインコンデンサ４３の充電状態が確認され（ステップＳ４７）、メインコンデンサ４３の充電状態が不完全であると判断された場合には（ステップＳ４７；ＮＯ）、充電処理が行われる（ステップＳ４８）。
【００９６】
なお、照射角度を補正する連続撮影する場合には、下記式（７）に基づいて照射角度θが設定された後（ステップＳ４６）、発光させる発光部材４０のメインコンデンサ４３の充電状態が確認される（ステップＳ４７）。
【００９７】
θ＝θ＋ｍ×ｊ×Δθ  ……（７）
【００９８】
メインコンデンサ４３の充電状態が完全であることが確認された後（ステップＳ４７；ＹＥＳ）、発光させる発光部材４０の番号が設定され（ステップＳ４９）、設定された撮影条件及びプリ発光時の測光値に基づいて発光光量若しくは露出条件が調整される、またはＧＮ若しくは絞り値が下記式（８）、（９）をそれぞれ満たすように調整される（ステップＳ５０）。
【００９９】
【数３】
2006126798.tif 000005
……（８）
ここで、Ｆは絞り値、Ｌは撮影距離、ＳはＩＳＯ感度である。
【０１００】
【数４】
2006126798.tif 000006
……（９）
ここで、Ｆは絞り値、Ｌは撮影距離、ＳはＩＳＯ感度である。
【０１０１】
そして、露出条件及び測光値に基づいて露出値が設定された後（ステップＳ５１）、図１７に示すように、発光制御部５３から出力されたトリガー信号によって、トリガースイッチ４４が作動し、発光部３８における各閃光放電管４０のトリガーコイル４２が起動される。
【０１０２】
さらに、トリガーコイル４２のトリガー用コンデンサ４６に充電された電荷が、コイル４８の一次側を通して放電し、二次側において、約３３００Ｖのトリガー電圧が発生し、発光部３８の閃光放電管４０に印加される。これによって、閃光放電管４０の内部にアーク放電が発生して、閃光が発光され（ステップＳ５２）、撮影画像が画像データとして記憶部６１のＲＡＭに記録される（ステップＳ５３）。なお、放電による発光は、発光停止スイッチング素子４５から出力された発光停止信号によって自動的に発光が停止される。
【０１０３】
記憶部６１のＲＡＭに記録された画像データは、ＲＯＭに出力転送されと（ステップＳ５４）、撮影済み枚数ｊの値が１つ加算され、「ｊ＝ｊ＋１」として認識される（ステップＳ５５）。そして、下記式（１０）に示す条件、すなわち、撮影済み枚数ｊが撮影枚数ｎ以上であることを満たしているか否かが確認される（ステップＳ５６）。この時点においては、１枚の画像しか撮影されていないため、上記した撮影処理が繰り返し行われ（ステップＳ５６；ＮＯ）、これによって、発光する発光部材４０が順次切り替えられて、図１８に示すようなストロボ発光色ブラケティング撮影が行われる。
【０１０４】
ｊ≧ｎ  ……（１０）
【０１０５】
そして、撮影済み枚数ｊが上記した条件を満たした後（ステップＳ５６；ＹＥＳ）、圧縮処理部６３において圧縮符号化され、最終的には、露出条件や、発光位置及び照射角度と共に、電子カメラにおける記憶部６１又は装着された記録媒体１２に記録されて（ステップＳ５７）、一連のストロボ発光色ブラケティング撮影が完了し、リターン処理によって、再度モード選択画面が表示される（ステップＳ２１）。
【０１０６】
以上より、本発明に係る電子カメラ１によれば、発光する光の色成分を可変することが可能な発光部３８と、被写体を照射する光源光若しくは被写体からの反射光に含まれる色成分を取得する測定部５１と、測定部により算出された色成分に基づいて、発光すべき光の色成分を決定する入力画像処理部５２と、撮影指示に応じて決定手段により決定された色成分の光を発光部に発光させる発光駆動部３９とを具備するので、撮影状況に応じて、発光される閃光の発光色、色温度又は分光分布特性を補正することが可能となり、これによって、所望の色温度又は分光分布特性を有する撮影画像や、所望のカラー照明による演出効果が表現された撮影画像を取得することができる。
【０１０７】
また、発光部３８が、各々が異なる色成分の発光を行う複数の発光部材４０から構成され、同時に発光させる発光部材４０の組合せを変化させることにより発光する色の色成分を可変し、発光駆動部３９が、入力画像処理部５２により決定された色成分となるように１又は複数の発光部材４０を選択して発光させるので、発光色を補正する連続撮影を行うことによって、所望の色温度又は分光分布特性を有する撮影画像や、所望のカラー照明による演出効果が表現された撮影画像の取得確率の向上を図ることが可能となり、これによって、再度の撮影を防止し、撮影効率の向上及び撮影者にかかる負担の軽減を図るができる。
【０１０８】
なお、撮影順序を、昇順及び降順以外に設定した場合、例えば「０＋−」に設定した場合には、図１５に示すように、撮影順序が判断された後（ステップＳ５８）、昇順において、照射角度θ又は発光位置Ｓ＃の初期値と、撮影順序ｍとが順次設定され（ステップＳ５９，６０）、撮影枚数ｎがｋ＋１に、撮影済み枚数ｊが０にそれぞれ設定される（ステップＳ６１）。
そして、設定条件に基づいてストロボ角度ブラケティング処理が行われ（ステップＳ６２）、画像データがＲＯＭに出力転送されると（ステップＳ６３）、撮影済み枚数ｊの値が１つ加算され、「ｊ＝ｊ＋１」として認識される（ステップＳ６４）。その後、撮影済み枚数ｊが撮影枚数ｎ以上という条件を満たしているか否かが確認される（ステップＳ６５）。
上記条件を満たしていることが確認された後、昇順の時と同様に、照射角度θ又は発光位置Ｓ＃の初期値と、撮影順序ｍとが順次設定される（ステップＳ６６，６７）。この際、撮影枚数ｎ及び撮影済み枚数ｊは、既に補正なしの画像１枚が撮影済みであるため、撮影枚数ｎがｋに、撮影済み枚数ｊが１にそれぞれ設定される（ステップＳ６８）。
そして、設定条件に基づいてストロボ角度ブラケティング処理が行われ（ステップＳ６９）、上記した昇順における処理と同様の処理が繰り返されて（ステップＳ７０，７１，７２）、後続の処理が実行される（ステップＳ５７）。
【０１０９】
［第１変形例］
本実施形態では、撮像素子３０の外部に、別途検出部３５を設けて色温度情報を検出する、いわゆる外部測光方式を採用した構成になっているが、これに限定されず、図１９に示すように、色分離回路５６による分離後の色信号の差から色温度情報を検出する、いわゆる内部測光方式を採用した構成であってもよい。
【０１１０】
また、本実施形態における外部測光方式や、図１９に示すような内部測光方式よりも、図２０に示すように、光源から照射される光の色温度を正確に計測することが可能な分光光度計測部７０が具備された構成であってもよい。
【０１１１】
この分光光度計測部７０を具備する構成の場合には、分光光度計測部７０の他に、スリット７１と、回折格子７２と、光学分散部７３とを備えて構成される。
スリット７１は、微細な間隙が形成された板状の部材であり、形成された間隙に被写体反射光又は光源光が入射されるようになっている。
【０１１２】
回折格子７２は、スリット７１を介して入射された被写体反射光又は光源光等を、多数の微細な波長帯毎に分光させるようになっている。
【０１１３】
光学分散部７３は、フォトダイオードアレイ又はライン型フォトセンサ等から構成され、複数の受光素子が半導体基板と一体となるように形成されている。このように形成された光学分光部７３は、多数の波長帯に分光された光エネルギー量をスペクトルとして同時に検出するようになっている。
【０１１４】
分光光度計測部７０は、Ａ／Ｄ変換回路７４と、エネルギー分布表メモリ７５と、等色関数データメモリ７６と、刺激値演算部７７と、色度座標演算部７８と、色温度演算部７９とから構成される。
【０１１５】
Ａ／Ｄ変換回路７４は、光学分散部７３で検出された波長毎の比エネルギー量を、デジタル値に変換し、エネルギー分布表メモリ７５に出力させるようになっている。
【０１１６】
エネルギー分布表メモリ７５は、Ａ／Ｄ変換回路７４でデジタル化された波長毎の比エネルギー量を、分光エネルギー分布表データＬ（λ）として記録するようになっている。
ここで、分光エネルギー分布表データＬ（λ）の一例を、下記表１に示す。
【０１１７】
【表１】
2006126798.tif 000007
【０１１８】
等色関数データメモリ７６は、視覚の分光比視感度特性に基づいた該当する波長におけるｒ（λ）、ｇ（λ）、ｂ（λ）、またはｘ（λ）、ｙ（λ）、ｚ（λ）等の等色関数データが記録されるようになっている。
ここで、ＲＧＢ表色系及びＸＹＺ表色系の等色関数データの一例を、下記表２及び表３にそれぞれ示す。
【０１１９】
【表２】
2006126798.tif 000008
【０１２０】
【表３】
2006126798.tif 000009
【０１２１】
刺激値演算部７７は、下記式（１１），（１２），（１３）に示すように、エネルギー分布表メモリ７５に記録されたエネルギー分光エネルギー分布表データＬ（λ）に、上記した等色関数データを乗算させ、例えば可視光領域等のように、波長域全体で集計加算することにより、ＲＧＢ又はＸＹＺ等の三刺激値が算出されるようになっている。
【０１２２】
【数５】
2006126798.tif 000010
……（１１）
【０１２３】
【数６】
2006126798.tif 000011
……（１２）
【０１２４】
【数７】
2006126798.tif 000012
……（１３）
【０１２５】
色度座標演算部７８は、下記式（１４），（１５），（１６）に示すように、刺激値演算部７７において算出されたＲＧＢ又はＸＹＺ等の三刺激値に基づいて、（ｒ，ｇ，ｂ）又は（ｘ，ｙ，ｚ）等の色度座標に変換されるようになっている。
【０１２６】
ｒ＝Ｒ／（Ｒ＋Ｇ＋Ｂ）  ……（１４）
【０１２７】
ｇ＝Ｇ／（Ｒ＋Ｇ＋Ｂ）  ……（１５）
【０１２８】
ｂ＝Ｂ／（Ｒ＋Ｇ＋Ｂ）  ……（１６）
【０１２９】
なお、色度座標への変換式は、上記した式（１４），（１５），（１６）に限定されず、例えば下記式（１７）であってもよい。
【０１３０】
ｂ＝１−（ｒ＋ｇ）  ……（１７）
【０１３１】
色温度演算部７９は、色度座標演算部７８において算出された色度座標や、色度座標と色温度とが組合された変換表テーブル等に基づいて、相関色温度が算出されるようになっている。
【０１３２】
次に、図２１を参照しながら、分光光度計測によるＷＢ制御の方法の詳細について説明する。
まず始めに、図２１に示すように、等色関数が設定され（ステップＳ１０１）、測光処理が行われる（ステップＳ１０２）。
【０１３３】
その後、波長毎にエネルギー分布が測定されると共に、エネルギー分布表Ｌ（λi）が作成される（ステップＳ１０３）。そして、三刺激値が算出され（ステップＳ１０４）、これら三刺激値に基づいて色度座標が算出される（ステップＳ１０５）。
【０１３４】
次に、座標変換処理を行うか否かが判断され（ステップＳ１０６）、座標変換処理を行う場合には（ステップＳ１０６；ＹＥＳ）、例えばＲＧＢ座標からｘｙｚ座標、またはＸＹＺ座標からｘｙｚ座標等、他の表色系若しくは色度座標への変換処理が行われる（ステップＳ１０７）。そして、変換後の色度座標に基づいて、相関色温度Ｔａ及び黒体輻射軌跡との偏差Δｕｖ等が算出される（ステップＳ１０８）。この際、座標変換処理を行わない場合には（ステップＳ１０６；ＮＯ）、変換処理前の色度座標に基づいて、相関色温度Ｔａ及び黒体輻射軌跡との偏差Δｕｖ等が算出される（ステップＳ１０８）。
【０１３５】
さらに、算出された偏差Δｕｖが、許容値以下であるか否かが確認され（ステップＳ１０９）、許容値以下である場合には（ステップＳ１０９；ＹＥＳ）、色温度Ｔａ若しくは色度座標（ｘ，ｙ，ｚ）等が第１表示部１７及び第２表示部２２に表示される（ステップＳ１１０）。この際、偏差Δｕｖが、許容値を超えている場合には（ステップＳ１０９；ＮＯ）、色温度測定のエラー処理が行われる（ステップＳ１１１）。
【０１３６】
最終的には、算出された色温度Ｔａ又は色度座標に基づいて、入力画像処理部５２のＷＢ制御回路５７によりＷＢが調整され（ステップＳ１１２）、さらに、これら色温度Ｔａ及びＷＢ設定情報等に応じて、発光部３８における発光位置及びその他の条件が設定されて（ステップＳ１１３）、一連のＷＢ制御が完了する。
【０１３７】
以上より、分光光度計測部７０を具備する電子カメラは、ＲＧＢ又はＸＹＺ等の三刺激値を利用して（ｒ，ｇ，ｂ）又は（ｘ，ｙ，ｚ）等の色度座標に変換されるので、色度座標や、色度座標と色温度とが組合された変換表テーブル等から相関色温度を算出することが可能となり、これによって、色温度に基づいた精密なＷＢ制御を行うことができる。
【０１３８】
なお、色信号の差若しくは成分比又は色温度情報等に基づいた撮像信号の色成分の利得制御方法又はＷＢ制御方法は、本実施形態に限定されず、図２２に示すような黒体輻射における色温度と、ＲＧＢの各色信号の相対強度との特性データ若しくは変換表を参照し、図２３に示すように、ＲＧＢの各色信号における相対強度の逆数により算出された色温度に該当するＲＧＢの各色信号の利得制御量に基づいて行われるようになっていてもよい。
【０１３９】
また、色温度を用いずに、上記した光源光の分光分布特性データＬ（λｉ）を、標準光源、所定の色温度における黒体輻射の分光特性又は平坦な分光分布特性等の所望の分光分布特性ＬＷ（λｉ）に変換することが可能なカラー変換フィルタ特性Ｆ（λｉ）を、下記式（１８）により算出し、この仮想フィルタＦ（λｉ）の分光分布特性に基づいて行われるようになっていてもよい。
【０１４０】
【数８】
2006126798.tif 000013
……（１８）
【０１４１】
なお、上記した所定の色温度における黒体輻射の分光分布特性は、下記式（１９）に示すプランクの黒体輻射式によって算出される。
【０１４２】
【数９】
2006126798.tif 000014
……（１９）
ここで、ｈはPlank定数、ｃは光速、ｋはBoltzmann定数である。
【０１４３】
さらに、各特性のピーク波長の強度や、例えば３２００Ｋ又は５０００Ｋ等の所定の色温度における光源の放射エネルギー強度等を基準値として設定し、この基準値に対する相対強度を、表又は関数として予め記録し、これを参照することにより算出されてもよい。
【０１４４】
［第２変形例］
また、本実施形態では、閃光発光装置２６における複数の発光部材４０が、図２４に示すように、発光部３８における発光する発光部材４０を個別に順次切り替えることによって、発光位置又は照射角度を変化させることにより、ストロボ角度ブラケティング撮影が行われているが、これに限定されず、図２５に示すように、発光部材４０を複数個ずつ順次切り替えることによって撮影されてもよい。
【０１４５】
一方、図２６に示すように、発光部３８において、発光する発光部材４０の個数、位置及び範囲を順次切り替えることにより、ストロボ角度ブラケティング撮影が行われてもよい。
【０１４６】
以上より、１度レリーズすることにより、閃光発光装置２６の照射角度と共に、発光光量の加減補正を行うことが可能となり、これによって、所望の照射角度及び陰影条件の下、所望の光量及び陰影を有する画像が取得する確率の向上を図ることができる。
【０１４７】
［第３変形例］
さらに、本実施形態では、発光部３８における発光する発光部材４０を切り替えることにより、水平方向からの照明、すなわち、側光によるストロボ角度ブラケティング撮影が行われているが、これに限定されず、図２７に示すように、筐体２を９０℃回転させ、上下方向からの照明、すなわち、仰角光及び俯角光によるストロボ角度ブラケティング撮影が行われてもよい。
【０１４８】
また、閃光発光装置２６は、図２８に示すように、筐体２の前面において、撮像レンズ３１を囲繞するように円周方向に沿って一列に配列された複数の発光部材４０から構成されていてもよい。
【０１４９】
さらに、図２９に示すように、予め発光部３８における複数の発光部材４０を異なる方向及び角度に設置させ、それらの発光部材４０の中から任意の発光部材を選択して、所望の照射角度に切り替えるようにしてもよい。
この場合、発光部３８における発光部材４０の設置角度をモーター等の駆動装置（図示せず）によって、回転駆動することにより切り替えるように構成されていてもよい。
【０１５０】
［第４変形例］
さらに、本実施形態では、閃光発光装置２６における発光部材４０に閃光放電管であるキセノン管が用いられているが、これに限定されず、白色ＬＥＤ（Light Emitting Diode）が用いられてもよい。ただし、この場合、閃光発光装置２６における発光駆動部の回路構成が、発光部材４０にキセノン管を用いた場合とは異なるため、図３０から図３２を参照しながら、詳細について説明する。なお、その他の構成については、本実施形態と同様であるため、説明を省略する。
【０１５１】
発光部３８における発光部材４０にＬＥＤを用いる場合のＬＥＤ用の発光駆動部８１は、図３０に示すように、昇圧充電回路４１及びトリガーコイル４２が不要となり、ＤＣ／ＤＣ変換器及びチャージポンプ等により構成されたレギュレータ８２と、制限抵抗８３と、発光制御スイッチ８４とを具備する。また、メインコンデンサ４３は、発光部材４０毎に具備されず、発光駆動部３９に対して１つのメインコンデンサ４３が具備されている。このように構成されたＬＥＤ用の発光駆動部８１は、数〜数十Ｖに昇圧した電圧により、充電作業を行わずに各発光部材４０を直接発光させることができる。
【０１５２】
なお、ＬＥＤ用の発光駆動部８１は、図３１に示すように、レギュレータと、駆動回路とが組合せて構成された駆動機構８５が具備されていてもよい。このようにして構成されたＬＥＤ用の発光駆動部８１は、図３２に示すように、一定の幅を有するパルス発光を行うようになっている。
【０１５３】
以上より、閃光発光装置２６における発光部材４０に白色ＬＥＤを用いると、電圧を数千Ｖに昇圧させる必要がなくなり、数Ｖ〜十数Ｖに昇圧させた電圧によって十分発光させることができるため、発光駆動部においてメインコンデンサ４３が不要となり、レギュレータ８２で昇圧された電圧によって発光部材４０を直接発光させるので、装置構成の簡素化を図ることが可能となり、これによって、装置の小型化を図ることができる。
【０１５４】
なお、発光部材４０は、白色ＬＥＤに限定されず、例えば、図３３に示すように、赤色（Ｒ）、緑色（Ｇ）及び青色（Ｂ）ＬＥＤの計３色のＬＥＤによって構成されたものであってもよい。
このように構成された閃光発光装置２６は、各色のＬＥＤが照射する光を加法混色することにより、発光色の相対発光強度を適宜加減又は調整させるストロボ角度ブラケティング撮影や、照射角度による補正に発光色による補正を組合せる照射角度×発光色ブラケティング撮影を行うことができる。
【０１５５】
また、図３４に示すように、ＲＧＢの３色の他に、上記した補正に用いられる紫色（Ｐ）、黄緑色（ＹＧ）、黄色（Ｙ）、橙色（Ｏ）のＬＥＤによって構成されたものであってもよい。
このように構成された閃光発光装置２６は、各色のＬＥＤが照射する光を加法混色することにより、発光位置及び照射角度に対応して、発光色を切り替えて撮影することができる。また、図３３示す配置構成と同様に、ストロボ角度ブラケティング撮影及び照射角度×発光色ブラケティング撮影を行うことができる。
【０１５６】
さらに、図３５に示すように、基本色となる白色を常時発光させると共に、その他の色を発光するＬＥＤを順次発光させることができるように構成されたものであってもよい。
このように構成された閃光発光装置２６は、分光分布特性が偏在している場合や、相対発光強度が小さい波長領域が存在する場合に、白色に対して弱い波長領域に相当する発光色のＬＥＤを発光させることにより、分光分布特性の平坦化を図ることができる。また、色温度及びＷＢの補正を行うことができる。
【０１５７】
また、青色ＬＥＤと、黄色の蛍光体材料との組合せにより白色の発光を実現するように構成されたもの、または紫外光ＬＥＤと、ＲＧＢ（Red Green Blue）若しくはＯＹＧＢ（Orange Yellow Green Blue）の蛍光体材料との組合せにより白色の発光を実現するように構成されたもの等、何れの構成であってもよい。
【０１５８】
ただし、青色ＬＥＤと、黄色の蛍光体とを組合せて構成された閃光発光装置２６では、発光される閃光の相対発光強度が、図３６に示すように、青色及び緑色の波長領域において小さいため、図３７に示すような青色及び緑色ＬＥＤを発光させる必要がある。
【０１５９】
また、紫色ＬＥＤと、ＲＧＢの３色の蛍光体とを組合せて構成された閃光発光装置２６では、発光される閃光の相対発光強度は、図３８に示すように、黄緑色（ＹＧ）、黄色（Ｙ）及び橙色（Ｏ）の波長領域において小さいため、図３７に示すような黄緑色、黄色及び橙色ＬＥＤを発光させる必要がある。
【０１６０】
さらに、上記した例とは別に、例えば、図３９に示すように、白色ＬＥＤの相対発光強度に対して、図４０に示す青緑（ＢＧ）色ＬＥＤ及び赤色（Ｒ）ＬＥＤの相対発光強度が半分程度となるように発光させる、すなわち、個々のＬＥＤの相対発光強度を調整することにより、図４１に示すように、分光特性が補正されるようになっていてもよい。
【０１６１】
以上より、ＲＧＢ成分、色度、色温度又は分光分布特性によって表される色成分を可変させるので、発光ダイオードの有する分光分布特性の偏りを緩和する、例えば各スペクトル図における分光特性曲線を平坦化する、または太陽光の分光分布特性に近似させることが可能となり、これによって、撮影画像における色再現性の向上を図ることができる。
【０１６２】
なお、ＬＥＤを発光部材に用いた場合の配置構成は、図４２に示すように、ＲＧＢの３色の他に、上記した補正に用いられる紫色（Ｐ）、黄緑色（ＹＧ）、黄色（Ｙ）、橙色（Ｏ）のＬＥＤが一定方向に配列された構成であってもよい。
【０１６３】
さらに、図４３に示すように、ＲＧＢの各色及び白色ＬＥＤがマトリクス状に配列された１つの組が、一定方向に配列された構成であってもよい。
【０１６４】
さらに、図４４から図４６に示すように、基本色となる白色ＬＥＤの発光面積を大きくし、補正に用いられるその他の色を発光するＬＥＤの発光面積を小さくするように組合せた構成であってもよい。
【０１６５】
以上より、混色の組合せによって種々の発光色が実現されるので、連続撮影時において、１枚の画像毎に閃光の発光色を変化させることが可能となり、これによって、ストロボ発光色ブラケティング撮影を行うことができる。
【０１６６】
［第５変形例］
さらに、本実施形態及び第４変形例では、閃光発光装置２６における発光部材４０に、閃光放電管又はＬＥＤが用いられているが、これに限定されず、例えばタングステン電球、ハロゲン電球又はスタジオ写真用電球等の閃光放電管及びＬＥＤ以外の発光素子や、照明素子が用いられてもよい。この場合、閃光発光装置２６は、図４７に示すように、昇圧充電回路４１及びトリガーコイル４２がなく、ＤＣ／ＤＣ変換器及びチャージポンプ等により構成されたレギュレータ９１と、制限抵抗９２と、発光制御スイッチ９３とを具備した簡易な回路構成となる。
【０１６７】
ここで、発光部材４０にハロゲン電球を用いられた場合を例に挙げて説明する。
ハロゲン電球の有する各特性の変化率（Ｆ／Ｆ０）と、電圧の変化率（Ｖ／Ｖ０）との間には、近似的に下記式（２０）の関係が成立する。
【０１６８】
【数１０】
2006126798.tif 000015
……（２０）
ここで、Ｋは各特性の固有値である。
【０１６９】
例えば、ハロゲン電球の有する温度の変化率（Ｔ／Ｔ０）と、電圧の変化率（Ｖ／Ｖ０）とは、下記式（２１）の関係が成立し、図４８に示すように、駆動電圧又は電流を増大させることによって、相対発光強度が増大する。また、波長成分及び分光分布特性は、短波長領域における発光比率が増大され、長波長領域における発光比率が低下されて、色温度Ｔが上昇する。一方、駆動電圧及び電流を低下させることにより、短波長領域における発光比率が低下され、長波長領域における発光比率が増大されて、色温度Ｔが低下する。
【０１７０】
【数１１】
2006126798.tif 000016
……（２１）
【０１７１】
以上より、発光部材４０に閃光放電管及びＬＥＤ以外の発光素子等が用いられると、各Ｆａの変化率（Ｆａ／Ｆａ０）と、電圧Ｖの変化率（Ｖ／Ｖ０）との間に比例関係が成立するので、駆動電圧又は電流を制御することにより、照明光の色温度又は色調を可変制御することが可能となり、これによって、所望の色温度及び分光特性を有する照明条件の下、所望の表現効果を有する画像を取得する確率の向上を図ることができる。
【０１７２】
［第６変形例］
さらに、本実施形態では、本発明に係る閃光発光装置２６が電子カメラ１に内蔵された形態で利用されているが、これに限定されず、図４９に示すように、電子カメラ１００に外付けされる閃光発光装置１０１として利用されてもよく、本実施形態と同様の効果を奏するようになっている。
【図面の簡単な説明】
【０１７３】
【図１】本発明に係る電子カメラを示す斜視図である。
【図２】本発明に係る電子カメラを示す平面図である。
【図３】本発明に係る電子カメラを示す背面図である。
【図４】本発明に係る電子カメラを示す正面図である。
【図５】本発明に係る電子カメラの回路構成を示すブロック図である。
【図６】本発明に係る電子カメラの一部を示す拡大平面図である。
【図７】発光部材にキセノン管を用いた閃光発光装置の回路構成を示すブロック図である。
【図８】入力画像処理部の回路構成を示すブロック図である。
【図９】ＷＢ設定情報に基づいたストロボ撮影の処理例を示すフローチャートである。
【図１０】第１表示部における表示情報の一例を示す概念図である。
【図１１】第１表示部における表示情報の他の例を示す概念図である。
【図１２】第１表示部における表示情報の他の例を示す概念図である。
【図１３】ストロボ発色光ブラケティング撮影の処理例を示すフローチャートである。
【図１４】ストロボ発色光ブラケティング撮影の処理例を示すフローチャートである。
【図１５】ストロボ発色光ブラケティング撮影の処理例を示すフローチャートである。
【図１６】ストロボ発色光ブラケティング処理の処理例を示すフローチャートである。
【図１７】発光部材にキセノン管を用いた閃光発光装置の駆動態様を示すタイミングチャートである。
【図１８】ストロボ発光色ブラケティング撮影の態様を示す概念図である。
【図１９】外部計測方式を採用した電子カメラの構成を示すブロック図である。
【図２０】分光光度計測部を設けた電子カメラの構成を示すブロック図である。
【図２１】分光光度計測によるＷＢ制御の処理例を示すフローチャートである。
【図２２】閃光放電管における色温度と相対強度との関係の一例を示すグラフである。
【図２３】分光光度計測によるＷＢ制御の一例を示す概念図である。
【図２４】発光部における発光パターンの一例を示す概念図である。
【図２５】発光部における発光パターンの他の例を示す概念図である。
【図２６】発光部における発光パターンの他の例を示す概念図である。
【図２７】電子カメラを９０°回転させて使用する際の態様を示す概念図である。
【図２８】他の配置構成からなる閃光発光装置を内蔵する電子カメラの使用例を示す概念図である。
【図２９】発光部における配置構成の他の例を示す概略図である。
【図３０】発光部材にＬＥＤを用いた閃光発光装置における回路構成の一例を示すブロック図である。
【図３１】発光部材にＬＥＤを用いた閃光発光装置における回路構成の他の例を示すブロック図である。
【図３２】発光部材にＬＥＤを用いた閃光発光装置の駆動態様を示すタイミングチャートである。
【図３３】ＲＧＢの各色ＬＥＤを組合せて構成された発光部の発光パターンを示す概念図である。
【図３４】ＬＥＤを用いた発光部における発光パターンの一例を示す概念図である。
【図３５】ＬＥＤを用いた発光部における発光パターンの他の例を示す概念図である。
【図３６】青色ＬＥＤと、黄色の蛍光体材料との組合せにより発光される光の相対発光強度分布を示すスペクトル図である。
【図３７】各色ＬＥＤにより発光される光の相対発光強度分布を示すスペクトル図である。
【図３８】紫外光ＬＥＤと、ＲＧＢの各色ＬＥＤとの組合せにより発光される光の相対発光強度分布を示すスペクトル図である。
【図３９】白色ＬＥＤのみを発光させた場合の発光部の態様を示す概念図である。
【図４０】青緑色及び赤色ＬＥＤを同時発光させた場合の発光部の態様を示す概念図である。
【図４１】白色、青緑色及び赤色ＬＥＤを同時発光させた場合の発光部の態様を示す概念図である。
【図４２】ＬＥＤを用いた発光部における配置構成の一例を示す概略図である。
【図４３】ＬＥＤを用いた発光部における配置構成の他の例を示す概略図である。
【図４４】ＬＥＤを用いた発光部における配置構成の他の例を示す概略図である。
【図４５】ＬＥＤを用いた発光部における配置構成の他の例を示す概略図である。
【図４６】ＬＥＤを用いた発光部における配置構成の他の例を示す概略図である。
【図４７】発光部材に白色電球を用いた閃光発光装置における回路構成の一例を示すブロック図である。
【図４８】ハロゲン電球における各特質と電圧との関係を示すグラフである。
【図４９】閃光発光装置を電子カメラに外付けした態様を示す斜視図である。
【符号の説明】
【０１７４】
１，１００  電子カメラ
２５  撮像部
２６，１０１  閃光発光装置
３８  発光部
３９  発光駆動部
４０  発光部材
４１  昇圧充電回路
４２  トリガーコイル
４３  メインコンデンサ
４９  撮影制御部
５１  測定部
５２  入力画像処理部
【図１】
2006126798.tif 000017
【図２】
2006126798.tif 000018
【図３】
2006126798.tif 000019
【図４】
2006126798.tif 000020
【図５】
2006126798.tif 000021
【図６】
2006126798.tif 000022
【図７】
2006126798.tif 000023
【図８】
2006126798.tif 000024
【図９】
2006126798.tif 000025
【図１０】
2006126798.tif 000026
【図１１】
2006126798.tif 000027
【図１２】
2006126798.tif 000028
【図１３】
2006126798.tif 000029
【図１４】
2006126798.tif 000030
【図１５】
2006126798.tif 000031
【図１６】
2006126798.tif 000032
【図１７】
2006126798.tif 000033
【図１８】
2006126798.tif 000034
【図１９】
2006126798.tif 000035
【図２０】
2006126798.tif 000036
【図２１】
2006126798.tif 000037
【図２２】
2006126798.tif 000038
【図２３】
2006126798.tif 000039
【図２４】
2006126798.tif 000040
【図２５】
2006126798.tif 000041
【図２６】
2006126798.tif 000042
【図２７】
2006126798.tif 000043
【図２８】
2006126798.tif 000044
【図２９】
2006126798.tif 000045
【図３０】
2006126798.tif 000046
【図３１】
2006126798.tif 000047
【図３２】
2006126798.tif 000048
【図３３】
2006126798.tif 000049
【図３４】
2006126798.tif 000050
【図３５】
2006126798.tif 000051
【図３６】
2006126798.tif 000052
【図３７】
2006126798.tif 000053
【図３８】
2006126798.tif 000054
【図３９】
2006126798.tif 000055
【図４０】
2006126798.tif 000056
【図４１】
2006126798.tif 000057
【図４２】
2006126798.tif 000058
【図４３】
2006126798.tif 000059
【図４４】
2006126798.tif 000060
【図４５】
2006126798.tif 000061
【図４６】
2006126798.tif 000062
【図４７】
2006126798.tif 000063
【図４８】
2006126798.tif 000064
【図４９】
2006126798.tif 000065